(57)【要約】【課題】人が行うべき記録に関する動作を最小限に止め、従来の会議と同様に議論を進めることができると共に、持ち運ぶ機材の量が少なく、会議等の場所を選ばない意見集約支援システム及び意見集約方法を提供すること。【解決手段】  ユニークな識別印が付与され、参加者の意見が書き込まれたカードを１つづつ個別画像として撮像する個別画像記録手段(１００)と、前記個別画像から前記識別印を抽出すると共に、前記抽出された識別印と個別画像を関連付ける個別画像関連付け手段(３００)と、前記カードが複数配置された平面を全体画像として撮像する全体画像記録手段(２００)と、前記全体画像から前記複数のカードに付与された識別印の位置を検出して、当該検出された識別印と識別印の位置とを関連付ける全体画像関連付け手段(３００)とを具備する。【選択図】      図１
2006024135.tif 000002
【特許請求の範囲】
【請求項１】
ユニークな識別印が付与され、参加者の意見が書き込まれたカードを１つづつ個別画像として撮像する個別画像記録手段と、
前記個別画像から前記識別印を抽出すると共に、前記抽出された識別印と個別画像を関連付ける個別画像関連付け手段と、
前記カードが複数配置された平面を全体画像として撮像する全体画像記録手段と、
前記全体画像から前記複数のカードに付与された識別印の位置を検出して、当該検出された識別印と識別印の位置とを関連付ける全体画像関連付け手段とを具備することを特徴とする意見集約支援システム。
【請求項２】
請求項１に記載の意見集約支援システムにおいて、
前記個別画像から抽出された識別印と前記位置検出手段で検出された識別印の位置に基づいて前記個別画像と前記位置とを関連付けて画像を再構成する配置再構成手段と、
前記配置再構成手段によって、再構成された画像を表示する表示手段とを更に具備することを特徴とする意見集約支援システム。
【請求項３】
請求項１又は請求項２に記載の意見集約支援システムにおいて、前記カードは、文字又は記号等のユニークな識別印を予め付与した紙片やプラスチックを含むことを特徴とする意見集約支援システム。
【請求項４】
請求項１又は請求項２に記載の意見集約支援システムにおいて、前記カードは、ユニークなバーコードを予め付与した紙片やプラスチックを含み、
前記個別画像関連付け手段は、前記バーコードを読み取る手段を含み、
前記全体画像関連付け手段は、前記全体画像から、所定位置のカードのバーコードを認識する手段を含むことを特徴とする意見集約支援システム
【請求項５】
請求項１に記載の意見集約支援システムにおいて、
前記カードは、赤外光発光ＬＥＤを予め付与した紙片やプラスチックを含み、
前記個別画像記録手段は、前記平面に一枚ずつカードを貼り付ける順番を記録する手段を含み、
前記全体画像記録手段は、前記平面全体の範囲で可視光を削除し赤外光を透過するフィルタにより撮影し、赤外光発光ＬＥＤとその配置のみを全体画像として記録する手段を含むことを特徴とする意見集約支援システム。
【請求項６】
請求項２に記載の意見集約支援システムにおいて、
前記カードは、赤外光発光ＬＥＤを予め付与した紙片やプラスチックを含み、
前記個別画像記録手段は、前記平面に一枚ずつカードを貼り付ける順番を記録する手段を含み、
前記全体画像記録手段は、前記平面全体の範囲で可視光を削除し赤外光を透過するフィルタにより撮影し、赤外光発光ＬＥＤとその配置のみを全体画像として記録するＬＥＤ位置記録手段を含み、
前記配置再構成手段は、前記貼付順添付手段で記録された貼付順を介して、前記ＬＥＤ位置記録手段で記録された画像で得られたＬＥＤの位置と、前記個別画像記録手段で記録された個別画像を関連付けることを特徴とする意見集約支援システム。
【請求項７】
請求項１又は請求項２に記載の意見集約支援システムにおいて、
前記カードは、複数の赤外光発光ＬＥＤを並べることにより、ユニークな文字又は記号等の識別印を赤外光で発光する素子を予め付与した紙片やプラスチックを含み、
前記全体画像記録手段は、前記平面全体の範囲で可視光を削除し赤外光を透過するフィルタにより撮影し、赤外光発光ＬＥＤの識別印のみ画像として記録するＬＥＤ画像記録手段を含ことを特徴とする意見集約支援システム
【請求項８】
請求項１又は請求項２に記載の意見集約支援システムにおいて、
前記カードは、ユニークな文字又は記号等の識別印を蓄光インクにより予め印刷した紙片やプラスチックを含み、
前記全体画像記録手段は、照明を消したような暗空間で、前記平面全体を全体画像として撮像する手段を含むことを特徴とする意見集約支援システム
【請求項９】
請求項１又は請求項２に記載の意見集約支援システムにおいて、
前記カードは、ユニークなバーコードを予め付与した紙片やプラスチックを含み、
前記全体画像関連付け手段は、前記カードを前記平面上で移動する毎に、前記バーコードを読み取る手段と、前記全体画像記録手段により記録された全体画像から、移動した位置を検出する位置検出手段と、前記読み取ったバーコード情報と前記カードの位置を関連付ける位置記録手段とを含むことを特徴とする意見集約支援システム
【請求項１０】
請求項１又は請求項２に記載の意見集約支援システムにおいて、
前記カードは、ユニークな文字又は記号等の識別印を点字として、予め付与した紙片やプラスチックを含み、
前記全体画像関連付け手段は、前記カードを前記平面上で移動する毎に、前記カードの点字情報を読み取る点字読み取り手段と、前記全体画像記録手段により記録された全体画像から、移動した位置を検出する位置検出手段と、前記点字読み取り手段で読み取った点字情報と、前記位置検出手段で検出した位置情報を関連付ける位置記録手段とを含むことを特徴とする意見集約支援システム
【請求項１１】
請求項１又は請求項２に記載の意見集約支援システムにおいて、
前記カードは、ユニークな文字又は記号等の識別印を特定色のインクにより予め印刷した紙片やプラスチックを含み、
前記全体画像記録手段は、前記カードに前記識別印のインクと補色関係にある色のインクで書き込んだ場合に、前記平面全体の範囲で、前記識別印のインクと補色関係にある色のフィルタにより、識別印だけを黒く強調して、前記自由文書き込み手段により書き込まれた文字を消去して撮影する手段を含むことを特徴とする意見集約支援システム
【請求項１２】
ユニークな識別印が付与され、参加者の意見が書き込まれたカードを１つづつ個別画像として撮像し、
前記個別画像から前記識別印を抽出すると共に、前記抽出された識別印と個別画像を関連付けし、
複数の前記カードが複数配置された平面を全体画像として撮像し、
前記全体画像から前記複数のカードに付与された識別印の位置を検出して、当該検出された識別印と該識別印の位置とを関連付けることを特徴とする意見集約支援方法。
【請求項１３】
請求項１２に記載の意見集約支援方法において、
前記個別画像から抽出された識別印と前記全体画像から検出された識別印の位置に基づいて前記個別画像と前記位置とを関連付けて画像を再構成することを特徴とする意見集約支援方法。
【発明の詳細な説明】
【技術分野】
【０００１】
本発明は、意見集約の場等の会議を記録するためのシステムに関する。より詳細には、複数の紙片等に書いた文章の内容と、それら紙片等の配置関係を記録し、電子化するシステムに関する。
【背景技術】
【０００２】
例えば、会議などにおいて、出席者から出されて、ホワイトボードに記載された意見を電子化する技術としては、下記のような技術が知られている。  
第１の技術として、ホワイトボードは既存のものをそのまま使い、該ホワイトボードに位置検出機能が備わった機材を設置する方法がある（非特許文献１参照）。  
第２の技術として、ホワイトボードそのものに、盤面に記入された文字や図形を電子化するための機能が備わっているものがある（非特許文献２参照）。  
第３の技術として、タッチパネルとＰＣとを組み合わせたものがある（非特許文献３参照）。
【０００３】
これらの技術において、第１の技術に係るものは、持ち運びには支障が少ないが、他のものは持ち運びには不便である。また、第１から第３の技術に係るものは、ホワイトボード上に専用ペンで直接書き込まれた文字や図形以外の記録はできない。従って、意見が記述された紙片等を使って関係図を作成する場合、意見の内容および配置関係を記録できない。
【非特許文献１】ｈｔｔｐ：／／ｗｗｗ．ｋｏｋｕｙｏｍｉｍｉｏ．ｃｏｍ／ｍｉｍｉｏ／ｆｕｎｃｔｉｏｎ／ｆｕｎｃｔｉｏｎ．ｈｔｍｌ  ２００４／５／２８
【非特許文献２】ｈｔｔｐ：／／ｗｗｗ．ｕｃｈｉｄａ．ｃｏ．ｊｐ／ｏｓｙｏｈｉｎ／ｉｎｔｅｒａｃｔｉｖｅ／ｗｈｉｔｅ．ｈｔｍｌ  ２００４／５／２８
【非特許文献３】Ｒｉｃｏｈ  Ｔｅｃｈｎｉｃａｌ  Ｒｅｐｏｒｔ  Ｎｏ．２５，  “マルチメディアボードＭＥＤＩＡＳＩＴＥ  ＭＢ１−４０Ｖ／ＭＢ２−５０Ｘ
【発明の開示】
【発明が解決しようとする課題】
【０００４】
意見集約の場等の実際の会議では、複数の参加者が、複数の意見を紙片等に記述し、それらの意見の関係図を作成しながら議論する。複数の参加者でその関係図を共有して閲覧するためには、３ｍ四方程度の大きな範囲に関係図（以下、「大きな関係図」とも称する）を作成することが有効である。しかし、報告書等の結果として残すためには、大きな関係図は記録しづらいのが現状である。
【０００５】
この大きな関係図をデジタルカメラ等の電子画像に記録した場合、全体の配置は認識できるが、紙片等に書かれた意見の内容の一字一句まで認識するのは容易ではない。特に、複数の参加者の手書き文字は様々な形態（文字の大小、線の太さ、文字間隔、楷書体・行書体等の特徴）であるため、統一することは不可能であり、大きな関係図を撮影した画像で、個々の意見の内容まで認識することは難しい。
【０００６】
また、関係図を作成する前に、各意見の内容を個別にデジタルカメラ等の電子画像に記録し、改めて大きな関係図を別に記録することも可能であるが、やはり大きな関係図の記録画像において、意見の内容が認識できなければ、関係図の記録としては役割を果たさない。
【０００７】
また、大きな関係図を分割して、それぞれを電子画像に記録する方法もあるが、画像の数が増え記録に手間がかかる上、報告書等にまとめる場合も切り貼りするための加工が必要になり、効率的ではない。ましてや、最終結果のみでなく、議論の途中経過も数回記録する場合には、作業回数が著しく増加し参加者の負担となることは言うまでもない。
【課題を解決するための手段】
【０００８】
本発明は、人が行うべき記録に関する動作を最小限に止め、従来の会議と同様に議論を進めることができると共に、持ち運ぶ機材の量が少なく、会議等の場所を選ばない意見集約支援システム及び意見集約方法を提供することを目的とする。
【０００９】
上記の課題を解決するために、まず、各意見が記述された紙片等を個別に電子画像に記録（以下、「個別記録」とする）しておく。この紙片等にはそれぞれユニークな識別印(すなわち、紙片等毎に異なる番号等の印)が付与されている。次に、大きな関係図の全体を電子画像に記録（以下、「全体記録」とする）する。この全体記録に係る画像は、各意見が記述された紙片等の配置が認識できる程度のものである。
【００１０】
そして、個別記録のときに識別印と意見の内容とが関連付けられて記録される。また、全体記録のときに各紙片等の配置関係と番号等の印が認識できる状態で記録される。この全体記録と個別記録を合わせることにより、全体の紙片等の配置関係がわかる。更に識別印を介し、各紙片等に記述された意見の内容も認識できる。なお、本発明は、システムや方法の発明以外に、当該処理を実行するためのプログラムの発明としても成立しうる。
【発明の効果】
【００１１】
本発明では、個別記録のときに識別印と意見の内容とが関連付けられて記録され、全体記録のときに各紙片等の配置関係と番号等の印が認識できる状態で記録される。これにより、全体の紙片等の配置関係と各紙片等に記述された意見の内容が容易に認識できる。
【００１２】
このように、複数の紙片等に記述された意見の内容と、それら意見の関係を表す紙片等の配置図を記録し電子化することで、人が行うべき記録に関する動作を最小限に止め、従来の会議と同様に議論を進めることができると共に、持ち運ぶ機材の量が少なく、会議等の場所を選ばない。
【発明を実施するための最良の形態】
【００１３】
図面を参照して本発明の実施の形態を説明する。  
図１は、本発明の一実施の形態に係る意見集約支援システムの概略構成を示す図である。本発明の一実施の形態に係る意見集約支援システムは、個別記録ユニット１００と、全体記録ユニット２００と、画像処理加工部３００とを備えている。
【００１４】
個別記録ユニット１００は、デジタルカメラ等の第１の画像記録部１５０（以下、「デジタルカメラ」と称する）を備えており、紙或いはプラスチックのカードからなる付箋紙１１０等（以下、「付箋紙」と称する）に予め印刷等により付与された「識別印」と、意見筆約の場において、各参加者が記入した「自由な書き込み文（以下、「書き込み文」と称する）」をデジタルカメラ１５０で静止画像として記録するものである。デジタルカメラ１５０で記録された識別印と書き込み文とは画像処理加工部３００に出力される。
【００１５】
全体記録ユニット２００は、ビデオカメラ等の第２の画像記録部２５０（以下、「ビデオカメラ」と称する）を備えている。意見集約の場においては、各参加者の意見が書き込まれた複数の付箋紙１１０は、模造紙等の平板（以下、「模造紙」と称する）に、タイトル毎（図中タイトルＡからＣ）に意見がまとめられて、図示のような関係図２２０を作りながら貼り付けられる。全体記録ユニット２００は、この関係図２２０が描かれた模造紙等をビデオカメラ２５０で記録するものである。本実施の形態では、関係図２２０全体を記録することにより、識別印と各付箋紙の配置を関連付けることができる。
【００１６】
画像処理加工部３００は、パーソナルコンピュータ等（以下、「ＰＣ」と称する）からなり、詳細は後述するように、個別記録ユニット１００と全体記録ユニット２００で記録された画像から、識別印を抽出したり、識別印とそれに対応する付箋紙１１０の書き込み文とを関連付けたり、識別印から全体の位置を割り出したり、識別印を介して各付箋紙の関係図での配置を再構成したりする。
【００１７】
図２は、ＰＣ３００の概略構成を示す図である。ＰＣ３００は、個別画像処理部４００と、個別画像データベース４９０と、全体画像処理部５００と、全体画像データベース５５０と、画像加工部６００と、ディスプレイ７００とを備えている。  
図２において、個別記録ユニット１００と全体記録ユニット２００の出力は、それぞれ、個別画像処理部４００と全体画像処理部５００とに入力される。個別画像処理部４００と全体画像処理部５００とでそれぞれ詳細は後述する処理(図３、図４参照)が行われた画像やその他の情報を含む各種のデータは、個別画像データベース４９０と全体画像データベース５９０とに格納(記録)される。個別画像データベース４９０と全体画像データベース５９０とに格納されたデータは、画像加工処理部６００に入力して、詳細は後述する処理(図５参照)が行われ、ディスプレイに表示される。以下、各部の構成及び動作の詳細を説明する。
【００１８】
図３を参照して、個別画像処理部４００の動作を説明する。図３は、個別画像処理部４００の概略構成を示す図である。個別記録ユニット１００からの個別画像は、個別画像処理部４００に入力する。個別画像処理部４００に入力した個別画像は、画像取り込み手段４１０で取り込まれて、画像データ格納手段４２０と識別印検出手段４３０とに出力される。画像データ格納手段４２０は、入力した画像データを個別画像データベース４９０に格納する。識別印検出手段４３０は、例えば、オブジェクト抽出やパターンマッチングなどにより、入力した画像データから識別印を検出する。そして、検出された識別印は、識別印認識手段４４０により、例えばＩＤ(符号)や数値データ等の識別データとして認識された後に、関連付け手段４５０で、画像データと関連付けされる。なお、この関連付けは、例えば、テーブルとして管理したり、識別データに画像データのアドレスを付加したりすることによって行うことができる。そして、識別データ格納手段４６０により、識別データが個別画像データベース４９０に格納されて、個別画像処理部４００の処理を終了する。  
上記の処理により、個別画像と識別データが個別画像データベース４９０に格納される。
【００１９】
図４を参照して、全体画像処理部５００の動作を説明する。図４は、全体画像処理部５００の概略構成を示す図である。全体記録ユニット２００からの全体画像は全体画像処理部５００に入力する。全体画像処理部５００に入力した全体画像は、画像取り込み手段５１０で取り込まれ、識別印検出手段５２０に出力される。識別印検出手段５２０は、例えば、オブジェクト抽出やパターンマッチングなどにより、入力した画像データから識別印を検出する。識別印検出手段５２０からの検出結果と画像データは、位置データ読み取り手段５３０に出力されて、検出された識別印に対応する位置データが読み出される。そして、位置データ読み取り手段５３０で読み出された当該識別印に対応する位置データは、位置データ格納手段５４０で全体画像データベース５９０に格納される。一方、識別印検出手段５２０からの検出結果は、識別印認識手段５５０により、例えばＩＤや数値データ等の識別データとして認識された後に、関連付け手段５６０で、画像データと関連付けされる。なお、この関連付けは、個別記録ユニット１００の場合と同様に、例えば、テーブルとして管理したり、識別データに画像データのアドレスを付加したりすることによって行うことができる。そして、識別データ格納手段５７０により、識別データが全体画像データベース５９０に格納されて、全体画像処理部５００の処理を終了する。  
上記の処理により、位置データと対応する識別データが全体画像データベース５９０に格納される。
【００２０】
図５を参照して、画像加工部６００の動作を説明する。図５は、画像加工部６００の概略構成を示す図である。個別画像データベース４９０と全体画像データベース５９０に格納された各データは、画像加工部６００のデータ取り込み手段６１０で取り込まれる。取り込まれたデータのうち画像データと位置データは、識別データに基づいて、関連付け手段６２０で関連付けされて、再構成手段６３０で配置関係の再構成が行われる。これにより、全体画像中における付箋紙の位置データで規定された各位置に、各画像データがはめ込まれる。そして、画像データがはめ込まれた全体画像を表示手段６４０で表示用データに変換して、ディスプレイ７００に送出する。
【００２１】
上記のような構成であれば、複数の紙片等に記述された意見の内容と、それら意見の関係を表す紙片等の配置図を記録し電子化するための機材は、基本的に、デジタルカメラ及びビデオカメラであり、処理に係る機材として、パーソナルコンピュータのみが必要となるのみである。これらの電子化のための手段により人が行うべき記録に関する動作を最小限に止め、従来の会議と同様に議論を進めることができる。加えて、持ち運ぶ機材の量が少なく、会議の場所を選ばないという利点を有する。
【００２２】
以下、具体的な実施例を説明する。  
（第１実施例）  
図６は、本発明の第１実施例に係る意見集約支援システムの概略構成を示す図である。本実施例では、識別印として、付箋紙１１０に予め数字１１１を印刷したものを使用する場合について説明する。  
複数の付箋紙１１０にユニークな数字１１１が印刷などにより付与されており、意見集約の場で、各参加者は、１つの付箋紙１１０につき１つの意見である書き込み文１２０を書き込む。意見を書き込まれた各付箋紙１１０は、個別記録ユニット１００のデジタルカメラ１５０で静止画像１６０として撮像（記録）される。この静止画像１６０は、ＰＣ３００で画像処理され、予め付与された数字１１１（識別印）が抽出される。抽出され読み出された数字１１１は数字データ４５１として、その静止画像１６０と関連付けられて、画像データ４２５に付与される。つまり、数字１１１と書き込み文１２０を画像データ４２５として、個別画像データベース４９０に格納される。
【００２３】
次に、意見を書き込んだ付箋紙１１０をある程度の大きさ（複数付箋紙を貼り付けることができ、それらの関係図を示せる程度）の模造紙２１０等の盤面（以下、「模造紙」と称する）に貼り付ける。その際、議論をしながら関係図２２０が作り上げられるため、付箋紙１１０は貼られたり剥がされたり、移動したりする作業が繰り返される。その様子は全体記録ユニット２００のビデオカメラ２５０で撮影し、動画像２５５として記録される。その一連の動画像２５５をＰＣ３００で画像処理し、議論の経過として重要な基点の場面を抽出して、静止画像５４２として切り出す。そして、切り出された各静止画像５４２から、識別印から数字１１１が抽出されて、数字データ５６１として読み取られる。なお、各静止画像５４２から、関係図２２０内の各付箋紙１１０の書き込み文１２０までは認識する必要はない。また、数字データ５６１を基に、各付箋紙１１０の関係図２２０における位置データ５４５も検出されて、数字データ５６１と位置データ５４５とが関連付けされる。つまり、数字データ５６１と関係図での位置データ５４５が関連付けされ、全体画像データベース５９０に格納される。
【００２４】
個別画像データベース４９０と全体画像データベース５９０から、数字データ５６１を介して、書き込み文１２０と関係図での位置データ５４５を関連付け、参加者の意見である書き込み文１２０の関係図２２０を再構成し、関係図画像６４５を出力する。
【００２５】
（第２実施例）  
図７は、本発明の第２実施例に係る意見集約支援システムの概略構成を示す図である。本実施例では、識別印として、例えば、プラスチック製のカード（以下、「カード」とする）１３０に予めバーコード情報１３１を付与したものを使用する場合について説明する。  
複数のカード１３０にユニークなバーコード情報１３１が付与されており、意見集約の場で、各参加者は、１つのカード１３０につき１つの意見である書き込み文１２０を書き込む。意見を書き込まれた各カード１３０は、個別記録ユニット１００のデジタルカメラ１５０で静止画像１６０として撮像（記録））される。この静止画像１６０は、ＰＣ３００で画像処理され、予め付与されたバーコード情報１３１が抽出される、抽出され読み出されたバーコード情報１３１は、その画像データ４２５に付与される。つまり、バーコードの数値情報４５２と書き込み文１２０が関連付けされた画像データ４２５として、個別画像データベース４９０に格納される。
【００２６】
次に、意見を書き込んだカード１３０をある程度の大きさ（複数カードを貼り付けることができ、それらの関係図を示せる程度）の盤面２１５に貼り付ける。その際、議論をしながら関係図２２０が作り上げられるため、カード１３０は貼られたり剥がされたり、移動したりする作業が繰り返される。その様子は全体記録ユニット２００のビデオカメラ２５０で撮影し、動画像２５５として記録される。その一連の動画像２５５をＰＣ３００で画像処理し、議論の経過として重要な基点の場面を抽出し、静止画像５４２として切り出す。そして、切り出された各静止画像５４２から、識別印のバーコード情報１３１が抽出されて、バーコードの数値データ５６２として読み取られる。なお、各静止画像５４２から、関係図２２０内の各カード１３０の書き込み文１２０までは認識する必要はない。また、識別印を基に、各カード１３０の関係図２２０における位置データ５４５も静止画像５４２より検出され、数値データ５６２と関連付けされる。つまり、バーコードの数値データ５６２は関係図での位置データ５４５が関連付けされ、全体画像データベース５９０に格納される。
【００２７】
個別画像データベース４９０と全体画像データベース５９０から、識別印のバーコード情報１３１を介して、書き込み文１２０と関係図での位置データ５４５を関連付け、参加者の意見である書き込み文１２０の関係図２２０を再構成し、関係図画像６４５を出力する。
【００２８】
（第３実施例）  
図８は、本発明の第３実施例に係る意見集約支援システムの概略構成を示す図である。本実施例では、識別印として、カード１３０に予め赤外光発光ＬＥＤ１３２を付与したものを使用する場合について説明する。  
意見集約の場で、各参加者は、意見をカード１３０に手書きで書き込む（書き込み文１２０）。意見を書き込まれた各カード１３０は、個別記録ユニット１００のデジタルカメラ１５０で静止画像１６０として撮像（記録）される。この静止画像１６０は、ＰＣ３００で画像処理される際に、現時刻１７２をデータとして付与される、つまり、書き込み文１２０は現時刻データ４５３を付与され、画像データ４２５として、個別画像データベース４９０に格納され、時系列で管理される。
【００２９】
意見を書き込んだカード１３０をある程度の大きさ（複数カードを貼り付けることができ、それらの関係図を示せる程度）の盤面２１５に貼り付ける。その際、議論をしながら関係図２２０が作り上げられるため、カード１３０は貼られたり剥がされたり、移動したりする作業が繰り返される。その様子は、全体記録ユニット２００のビデオカメラ２５０に、可視光を遮断し赤外光を透過するフィルタ２７２を付与したレンズで撮影し、動画像２５５として記録される。その一連の動画像２５５をＰＣ３００で画像処理し、議論の経過として重要な基点の場面を抽出し、時刻データ５６３と共に静止画像５４２として切り出す。各静止画像５４２から識別印の赤外光発光ＬＥＤ１３２が抽出され、その識別印を基に盤面２１５での位置が検出され、位置データ５４５として記録される。同時に時刻データ５６３も関連付けされる。つまり、時刻データ５６３と関係図での位置データ５４５が関連付けされ、全体画像データベース５９０に格納される。カード１３０が移動した時でも、時刻データ４５３と照合させ時刻データ５６３を追うことにより、複数カードの識別を行うことができる。
【００３０】
個別画像データベース４９０と全体画像データベース５９０から、識別印の時刻データ４５３と５６３を介して、書き込み文１２０と関係図での位置データ５４５を関連付け、参加者の意見である書き込み文１２０の関係図２２０を再構成し、関係図画像６４５を出力する。
【００３１】
（第４実施例）
図９は、本発明の第４実施例に係る意見集約支援システムの概略構成を示す図である。本実施例では、識別印として、カード１３０に予め赤外光発光ＬＥＤで数字を表す素子１３３を付与したものを使用する場合について説明する。  
複数のカード１３０において、ユニークな数字が素子１３３に付されており、意見集約の場で、各参加者は、１つのカード１３０につき１つ意見である書き込み文１２０を書き込む。意見を書き込まれた各カード１３０は、個別記録ユニット１００のデジタルカメラ１５０で可視光を捉えた静止画像１６０、つまり書き込み文１２０が記録される。さらに、個別記録ユニット１００のデジタルカメラ１５０において、可視光を遮断し赤外光を透過するフィルタ１４０をレンズ前位置に付与して、静止画像１６２として撮像（記録）する。これらの静止画像１６０と１６２は、ＰＣ３００で画像処理され、画像１６２の数字１３３を読み取り、数字データ４５４として静止画像１６０に関連付けられる。つまり、数字１３３と書き込み文１２０が関連付けられた画像データ４２５として、個別画像データベース４９０に格納される。
【００３２】
次に、意見を書き込んだカード１３０をある程度の大きさ（複数カードを貼り付けることができ、それらの関係図を示せる程度）の模造紙２１０に貼り付ける。その際、議論をしながら関係図２２０が作り上げられるため、カード１３０は貼られたり剥がされたり、移動したりする作業が繰り返される。議論の経過として重要な基点の場面において、関係図２２０は全体記録ユニット２００のデジタルカメラ２７０で撮影され、静止画像２７４として記録される。また、同時期に、全体記録ユニット２００のデジタルカメラ２７０において、可視光を遮断し赤外光を透過するフィルタ２７２をレンズ前位置に付与して、静止画像２７６として記録する。静止画像２７６から識別印の数字１３３を抽出し、数字データ５６４として読み取る。さらに静止画像２７４からは、識別印を基に、各カード１３０の関係図２２０における位置データ５４５が読み取られ、静止画像２７６の数字データ５６４と関連付けされる。つまり、数字データ５６４と関係図での位置データ５４５が関連付けされ、全体画像データベース５９０に格納される。
【００３３】
個別画像データベース４９０と全体画像データベース５９０から、識別印の数字データ４５４と５６４を介して、書き込み文１２０と関係図での位置データ５４５を関連付け、参加者の意見である書き込み文１２０の関係図２２０を再構成し、関係図画像６４５を出力する。
【００３４】
（第５実施例）
図１０は、本発明の第５実施例に係る意見集約支援システムの概略構成を示す図である。本実施例では、識別印として、付箋紙１１０に予め蓄光インクで数字１３４を印刷したものを使用する場合について説明する。  
複数の付箋紙１１０に、ユニークな数字１３４が付与されており、意見集約の場で、各参加者は、１つの付箋紙１１０につき１つの意見である書き込み文１２０を書き込む。意見を書き込まれた各付箋紙１１０は、個別記録ユニット１００のデジタルカメラ１５０で静止画像１６０、つまり書き込み文１２０が通常の照明下で記録される。さらに、そのまま付箋紙１１０に焦点を当てたまま、照明を落として部屋を暗くした撮影空間において、個別記録ユニット１００のデジタルカメラ１５０で、静止画像１７０が記録される。これら静止画像１６０と１７０は、ＰＣ３００で画像処理され、静止画像１７０から蓄光インクの数字１３４を読み取り、静止画像１６０に関連付けられる。つまり、数字データ４５５と書き込み文１２０が関連付けられた画像データ４２５として、個別画像データベース４９０に格納される。
【００３５】
次に、意見を書き込んだ付箋紙１１０をある程度の大きさ（複数付箋紙を貼り付けることができ、それらの関係図を示せる程度）の模造紙２１０に貼り付ける。その際、議論をしながら関係図２２０が作り上げられるため、付箋紙１１０は貼られたり剥がされたり、移動したりする作業が繰り返される。議論の経過として重要な基点の場面において、関係図２２０を全体記録ユニット２００のデジタルカメラ２７０により通常の照明下で撮影し、静止画像２７４として記録する。さらに、同じ状態の関係図２２０を全体記録ユニット２００のデジタルカメラ２７０で照明を落とした暗い空間において撮影し、静止画像２７６として記録する。静止画像２７４と２７６をＰＣ３００で画像処理し、静止画像２７６から識別印の数字１３４を抽出し、数字データ５６５として読み取る。さらに静止画像２７６から、数字データ５６５の抽出位置を基に、各付箋紙１１０の関係図２２０における位置データ５４５が検出される。この位置データ５４５に、静止画像２７６の数字データ５６５が関連付けされ、全体画像データベース５９０に格納される。
【００３６】
個別画像データベース４９０と全体画像データベース５９０から、識別印の数字データ４５５と５６５を介して、書き込み文１２０と関係図での位置データ５４５を関連付け、参加者の意見である書き込み文１２０の関係図２２０を再構成し、関係図画像６４５を出力する。
【００３７】
（第６実施例）  
図１１は、本発明の第６実施例に係る意見集約支援システムの概略構成を示す図である。本実施例では、識別印として、プラスチックカード（以下、カードとする）１３０に予めバーコード情報１３１を付与したものを使用する場合について説明する。  
複数のカード１３０にユニークなバーコード情報１３１が付されており、意見集約の場で、各参加者は、１つのカード１３０につき１つの意見である書き込み文１２０を書き込む。意見を書き込まれた各カード１３０は、個別記録ユニット１００のデジタルカメラ１５０で静止画像１６０として撮像（記録）される。この画像１６０は、ＰＣ３００で画像処理され、予め付与されたバーコード情報１３１が抽出される。抽出され読み出されたバーコードの数値データ４５２は、書き込み文１２０と関連付けされ、画像データ４２５として、個別画像データベース４９０に格納される。
【００３８】
次に、意見を書き込んだカード１３０をある程度の大きさ（複数カードを貼り付けることができ、それらの関係図を示せる程度）の盤面２１５に貼り付ける。その際、議論をしながら関係図２２０が作り上げられるため、カード１３０は貼られたり剥がされたり、移動したりする作業が繰り返される。最初の貼り付けや移動の際、バーコードリーダ１２２で、カード１３０上のバーコード情報１３１を読み取り、同時に全体記録ユニット２００のデジタルカメラ２７０で撮影し、現時刻データ５８２と共に静止画像２７４として記録される。ＰＣ３００では、読み取られたバーコードの数値データ５６２と同時に撮られた静止画像２７４を関連付ける。バーコード情報１３１を基に、各静止画像２７４から当該カード１３０の盤面２１５上の位置が検出され、各カード１３０の関係図２２０における位置データ５４５として記録される。なお、各静止画像２７４から、関係図２２０内の各カード１３０の書き込み文１２０までは認識する必要はない。更に、時刻データ５８２も、バーコードの数値データ５６２と関連付けされセットデータ５８０として記録される。つまり、バーコードの数値データ５６２と関係図での位置データ５４５と時刻データ５８２のセットのデータがセットデータ５８０として、全体画像データベース５９０に格納される。これにより、各カード１３０が、盤面２１５上をどのように移動し配置されたかが判明する。また、全体の配置データ５４２は、時刻データ５８２により、同時刻の各カード１３０の位置データ５４５を抽出することにより再構成され、同じく全体画像データベース５９０に格納される。
【００３９】
個別画像データベース４９０と全体画像データベース５９０から、識別印のバーコードの数値データ４５２と５６２を介して、書き込み文１２０と全体の配置データ５４２を関連付け、参加者の意見である書き込み文１２０の関係図２２０を再構成し、関係図画像６４５を出力する。
【００４０】
（第７実施例）  
図１２は、本発明の第７実施例に係る意見集約支援システムの概略構成を示す図である。本実施例では、識別印として、付箋紙１１０に予め点字１３５を付与したものを使用する場合について説明する。  
複数の付箋紙１１０に、ユニークな点字情報１３５(以下、単に「点字」と称する場合もある)が付与されており、意見集約の場で、各参加者は、１つの付箋紙１１０につき１つの意見である書き込み文１２０を書き込む。意見を書き込まれた各付箋紙１１０は、個別記録ユニット１００のデジタルカメラ１５０で静止画像１６０として撮像（記録)される。この静止画像１６０は、ＰＣ３００で画像処理され、予め付与された点字１３５が抽出される。抽出され読み出された点字の数値データ４５６は、その画像データ４２５に付与される。つまり、数値データ４５６と書き込み文１２０が関連付けされた画像データ４２５として、個別画像データベース４９０に格納される。
【００４１】
次に、意見を書き込んだ付箋紙１１０をある程度の大きさ（複数付箋紙を貼り付けることができ、それらの関係図を示せる程度）の模造紙２１０に貼り付ける。その際、議論をしながら関係図２２０が作り上げられるため、付箋紙１１０は貼られたり剥がされたり、移動したりする作業が繰り返される。最初の貼り付けや移動の際、点字リーダ１２４で、付箋紙１１０上の点字１３５を読み取り、同時に全体記録ユニット２００のデジタルカメラ２７０で撮影し、現時刻データ５８２と共に静止画像２７４として記録される。ＰＣ３００では、読み取られた点字の数値データ５６６と同時に撮られた静止画像２７４を関連付ける。各静止画像２７４から、点字１３５を基に、その付箋紙１１０の模造紙２１０上の位置が検出され、各付箋紙１１０の関係図２２０における位置データ５４５として記録される。なお、各静止画像２７４から、関係図２２０内の各付箋紙１１０の書き込み文１２０までは認識する必要はない。また、時刻情報５８２も、点字の数値データ５６６と関連付けされセットデータ５８０として記録される。つまり、点字の数値データ５６６と関係図での位置データ５４５と時刻データ５８２のセットのデータがセットデータ５８０として、全体画像データベース５９０に格納される。これにより、各付箋紙１１０が、模造紙２１０上をどのように移動し配置されたかが判明する。また、全体の配置データ５４２は、時刻データ５８２により、同時刻の各付箋紙１１０の位置データ５４５を抽出することにより再構成され、同じく全体画像データベース５９０に格納される。
【００４２】
個別画像データベース４９０と全体画像データベース５９０から、識別印の点字の数値データ４５６と５６６を介して、書き込み文１２０と全体の配置データ５４２を関連付け、参加者の意見である書き込み文１２０の関係図２２０を再構成し、関係図画像６４５を出力する。
【００４３】
（第８実施例）
図１３は、本発明の第８実施例に係る意見集約支援システムの概略構成を示す図である。図１３は、本発明の第８実施例に関わる、識別印として、付箋紙１１０に予め「赤色」で数字１３６を付箋紙面いっぱいに大きな文字で印刷したものを使用する場合について説明する。  
複数の付箋紙１１０に、ユニークな数字１３６が付与されており、意見集約の場で、各参加者は、意見を付箋紙１１０に、「赤色」と補色関係にある「緑色」のペン１９１を用いて手書きで書き込む（書き込み文１２０）。意見を書き込まれた各付箋紙１１０は、個別記録ユニット１００のデジタルカメラ１５０で静止画像１６０として撮像（記録)される。この静止画像１６０は、ＰＣ３００で画像処理され、予め印刷された数字１３６（識別印）が抽出される。抽出され読み出された数字１３６は数字データ４５７として、その画像データ４２５に付与される。つまり、数字４５７と書き込み文１２０が関連付けされた画像データ４２５として、個別画像データベース４９０に格納される。
【００４４】
意見を書き込んだ付箋紙１１０をある程度の大きさ（複数付箋紙を貼り付けることができ、それらの関係図を示せる程度）の模造紙２１０に貼り付ける。その際、議論をしながら関係図２２０が作り上げられるため、付箋紙１１０は貼られたり剥がされたり、移動したりする作業が繰り返される。議論の経過として重要な基点の場面において、関係図２２０は全体記録ユニット２００のデジタルカメラ２７０により撮影され、静止画像２７４として記録される。その際、デジタルカメラ２７０のレンズ前位置には、自由書き込み文１２０が書かれたインクと同じ色である「緑色」のセロファン等のフィルタ２８０を設置する。このフィルタ２８０は、緑色のみ透過するため、緑色の補色である、赤色インクの文字の部分は、フィルタを介して見ると黒くみえる。それにより、静止画像２７４には、自由書き込み文１２０は写らず、付箋紙いっぱいに大きな文字で印刷された識別印である「赤色」の数字５６７のみが黒色の数字５６７として写る。各静止画像２７４では、識別印の数字５６７を安易に抽出することができ、数字データ５６７として読み取られる。この数字を基にして、各付箋紙１１０の関係図２２０における位置データ５４５が検出される。この位置データ５４５に数字データ５６７が関連付けされる。つまり、数字データ５６７と関係図での位置データ５４５が関連付けされ、全体画像データベース５９０に格納される。
【００４５】
個別画像データベース４９０と全体画像データベース５９０から、識別印の数字データ４５７と５６７を介して、書き込み文１２０と関係図での位置データ５４５を関連付け、参加者の意見である書き込み文１２０の関係図２２０を再構成し、関係図画像６４５を出力する。
【００４６】
本発明は、上記各実施の形態に限ることなく、その他、実施段階ではその要旨を逸脱しない範囲で種々の変形を実施し得ることが可能である。例えば、上記の実施の形態において、識別印として、数字やバーコードなどの例を示したが、それ以外に、付箋紙を識別できるようなものであれば、上記の実施の形態のものに限らず、どのようなものでも使用可能である。また、上記の実施の形態では、表示用のディスプレイまで含めたが、これに限らず、記録部分と再生部分とを分けても良い。さらに、上記各実施の形態には、種々の段階の発明が含まれており、開示される複数の構成要件における適宜な組合せにより種々の発明が抽出され得る。
【００４７】
また、例えば各実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００４８】
【図１】本発明の一実施の形態に係る意見集約支援システムの概略構成を示す図。
【図２】ＰＣ３００の概略構成を示す図。
【図３】個別画像処理部４００の概略構成を示す図。
【図４】全体画像処理部５００の概略構成を示す図。
【図５】画像加工部６００の概略構成を示す図。
【図６】本発明の第１実施例に係る意見集約支援システムの概略構成を示す図。
【図７】本発明の第２実施例に係る意見集約支援システムの概略構成を示す図。
【図８】本発明の第３実施例に係る意見集約支援システムの概略構成を示す図。
【図９】本発明の第４実施例に係る意見集約支援システムの概略構成を示す図。
【図１０】本発明の第５実施例に係る意見集約支援システムの概略構成を示す図。
【図１１】本発明の第６実施例に係る意見集約支援システムの概略構成を示す図。
【図１２】本発明の第７実施例に係る意見集約支援システムの概略構成を示す図。
【図１３】本発明の第８実施例に係る意見集約支援システムの概略構成を示す図。
【符号の説明】
【００４９】
１００…個別記録ユニット
１１０…付箋紙
１２２…バーコードリーダ
１２４…点字リーダ
１３０…カード
１３２…赤外光発光ＬＥＤ
１３３…素子
１４０…フィルタ
１５０…デジタルカメラ
１９１…ペン
２００…全体記録ユニット
２１０…模造紙
２１５…盤面
２５０…ビデオカメラ
２７０…デジタルカメラ
２７２…フィルタ
２８０…フィルタ
３００…ＰＣ
４００…個別画像処理部
４１０…画像取り込み手段
４２０…画像データ格納手段
４２５…画像データ
４３０…識別印検出手段
４４０…識別印認識手段
４５０…識別データ格納手段
４６０…関連付け手段
４９０…個別画像データベース
５００…全体画像処理部
５１０…画像取り込み手段
５２０…識別印検出手段
５３０…位置データ読み取り手段
５４０…位置データ格納手段
５５０…全体画像データベース
５５０…識別印認識手段
５６０…識別データ格納手段
５７０…関連付け手段
５９０…全体画像データベース
６００…画像加工部
６００…画像加工処理部
６１０…データ取り込み手段
６２０…関連付け手段
６３０…再構成手段
６４０…表示手段
７００…ディスプレイ
【図１】
2006024135.tif 000003
【図２】
2006024135.tif 000004
【図３】
2006024135.tif 000005
【図４】
2006024135.tif 000006
【図５】
2006024135.tif 000007
【図６】
2006024135.tif 000008
【図７】
2006024135.tif 000009
【図８】
2006024135.tif 000010
【図９】
2006024135.tif 000011
【図１０】
2006024135.tif 000012
【図１１】
2006024135.tif 000013
【図１２】
2006024135.tif 000014
【図１３】
2006024135.tif 000015